(57)【特許請求の範囲】
【請求項１】
一対の縦枠間に互いに上下方向に並置された複数のスラットからなるブラインドと、スラットの夫々の端部を支持していると共に、縦枠の外に配された伸縮自在なリンク機構と、リンク機構の上端部を持上げて、ブラインドを開口部閉鎖位置に配するリンク持上げ機構と、リンク機構を介してスラットの夫々を傾動させるべく、リンク機構に連結されたチルト機構と、縦枠の上下方向に延びたスリットを通って上下方向に移動自在なスラット位置保持手段とを具備しており、リンク機構は、一対の並置されたリンク列を具備しており、スラットの夫々は、長手方向の端部に凹所を有するスラット本体と、このスラット本体の長手方向における凹所の開口を閉鎖してスラット本体の長手方向の各端面に固着された補強板とを具備しており、各リンク列は、凹所においてスラットの夫々の端部に回動自在に連結されており、スラット位置保持手段は、最上位のスラットを除く各スラットの補強板に一端が固着されていると共に縦枠のスリットを通って上下方向に移動自在な軸を有しているブラインド装置。
【請求項２】
チルト機構は、各スラットを、開口部閉鎖状態では互いに間隔を有して傾斜させ、開口部開放状態では実質的に水平に配されて互いに重ね合わせるようになっている請求項１に記載のブラインド装置。
【請求項３】
チルト機構は、最上位のスラットの端部に取付けられた回動自在軸と、この回動自在軸に固着されていると共に、縦枠の内部に配された回動自在アームと、この回動自在アームを最上位のスラットの上昇及び下降において揺動させるカム面とを具備している請求項１又は２に記載のブラインド装置。
【請求項４】
各リンク列は、隣接するスラット間に一対のリンク部材を具備しており、一対のリンク部材のうちの上位のリンク部材は、一端で上位のスラットに回動自在に連結されており、一対のリンク部材のうちの下位のリンク部材は、一端で下位のスラットに回動自在に連結されており、一対のリンク部材は、夫々の他端で互いに回動自在に連結されている請求項１から３のいずれか一項に記載のブラインド装置。
【発明の詳細な説明】
【０００１】
【発明の属する技術分野】
本発明は、建物の窓等に配置し、必要に応じてこれら窓等の目隠しをするブラインド装置に関する。
【０００２】
【発明が解決しようとする課題】
この種のブラインド装置は、通常、上下方向に並置された複数のスラットからなるブラインドを上方に配置し、昇降装置の作動により当該ブラインドを上方から下降させて建物の窓等の開口部を目隠しし、昇降装置の逆作動によりブラインドを上昇させて開口部を開口するように、構成されている。
【０００３】
斯かるブラインド装置では、上記のように、開口部の開口の際には、ブラインドを構成する複数のスラットが開口部の上方に、通常、互いに密に重合されて配置されるため、全開時でも、重合されたスラットにより開口部が一部閉鎖されたようになり、開口部の全開時に十分な解放感を味わうことができず、目障りとなる。これをなくすためにスラット収容枠を上方に設けても、スラット収容枠分の占有空間を上方に必要とし、一般の家屋、ビル等においてはこれが困難な場合があり、必ずしも満足し得るものではない。また、開口部の下方のみの目隠しを行いたい場合等においては、従来のブラインド装置ではそれができないという問題もあり、更に、スラットの清掃は梯子や台等を使用しなければならず、また、閉鎖動作におけるブラインドの下降で物又は人が挟まれる危険性もある。
【０００４】
そこで、開口部の開口の際には、ブラインドを構成する複数のスラットを開口部の下方に、開口部の閉鎖の際には、スラットをリンク機構を介して持上げるようにしたブラインド装置が提案されており、提案のブラインド装置によれば上記の種々の問題点を好ましく解決でき、その点では満足できるのであるが、斯かるブラインド装置を横方向に並んだビルの窓の夫々に並置する際には、柱幅との関連でブラインド装置とブラインド装置との間を狭くすることが要求される結果、リンク機構等を収容する縦枠もまた狭幅にすることが必要となるが、斯かる狭幅の縦枠では、リンク機構の取付け作業、更には、保守、点検が極めて困難となる。
【０００５】
本発明は、前記諸点に鑑みてなされたものであって、その目的とするところは、縦枠を狭幅にし得て、しかも、リンク機構の取付け作業、保守、点検を容易に行い得、而して、ビル等において横方向に並んだ複数の窓の夫々に好ましく並置し得るブラインド装置を提供することにある。
【０００６】
【課題を解決するための手段】
本発明の第一の態様のブラインド装置は、一対の縦枠間に互いに上下方向に並置された複数のスラットからなるブラインドと、スラットの夫々の端部を支持していると共に、縦枠の外に配されたリンク機構と、リンク機構の上端部を持上げて、ブラインドを開口部閉鎖位置に配するリンク持上げ機構と、リンク機構を介してスラットの夫々を傾動させるべく、リンク機構に連結されたチルト機構とを具備しており、ここで、リンク機構は、一対の並置されたリンク列を具備しており、各リンク列は、スラットの夫々の端部に回動自在に連結されている。
【０００７】
第一の態様のブラインド装置によれば、各リンク列がスラットの夫々の端部に回動自在に連結されて、リンク機構が縦枠の外に配されているために、縦枠を狭幅にでき、しかも、リンク機構の取付け作業、保守、点検を容易に行い得、而して、ビル等において横方向に並んだ窓の夫々に好ましく並置し得る。
【０００８】
本発明の第二の態様のブラインド装置では、第一の態様のブラインド装置において、スラットの夫々の端部には凹所が形成されており、各リンク列は、この凹所においてスラットの夫々の端部に回動自在に連結されている。
【０００９】
第二の態様のブラインド装置によれば、各リンク列が凹所においてスラットの夫々の端部に回動自在に連結されているので、リンク機構が縦枠の外に配されていても、スラットと縦枠との間の隙間をできる限り小さくでき、ブラインドによる開口部閉鎖機能をより完全に得ることができる。
【００１０】
本発明の第三の態様のブラインド装置では、第一又は第二の態様のブラインド装置において、チルト機構は、各スラットを、開口部閉鎖状態では互いに間隔を有して傾斜させ、開口部開放状態では実質的に水平に配されて互いに重ね合わせるようになっている。
【００１１】
第三の態様のブラインド装置によれば、開口部閉鎖状態では各スラットが互いに間隔を有して傾斜されているので、この間隔を介して風を逃がすことができる結果、開口部閉鎖状態であって強風時に各スラットが風圧により過度に変形されることを防ぎ得る。
【００１２】
本発明の第四の態様のブラインド装置では、第一から第三のいずれかの態様のブラインド装置において、縦枠は、上下方向に伸びたスリットを有しており、各スラットの夫々の端部には、縦枠のスリットを通って上下方向に移動自在なスラット位置保持手段が設けられている。
【００１３】
第四の態様のブラインド装置によれば、スラット位置保持手段により各スラットの端部を縦枠のスリットの位置に保持できるので、風等によりブラインドが揺れることをなくし得る。
【００１４】
本発明では、チルト機構は、一端が最上位のスラットの端部に取付けられた回動自在軸と、この回動自在軸の他端に固着されていると共に、縦枠の内部に配された回動自在アームと、この回動自在アームを最上位のスラットの上昇及び下降において揺動させるカム面とを具備していてもよく、また、各リンク列は、隣接するスラット間に一対のリンク部材を具備しており、斯かる一対のリンク部材のうちの上位のリンク部材は、一端で上位のスラットに回動自在に連結されており、一対のリンク部材のうちの下位のリンク部材は、一端で下位のスラットに回動自在に連結されており、一対のリンク部材は、夫々の他端で互いに回動自在に連結されていてもよい。
【００１５】
更に本発明では、リンク持上げ機構は、手動、電動のいずれであってもよく、加えて、最下位のスラットを弾性的な終端機構により弾性的に引っ張るようにしてもよく、斯かる終端機構により最下位のスラットを弾性的に下方に引っ張るようにすると、リンク機構を介して上位のスラットにその自重に加えて下降力を付与できるために、ブラインドによる開口部開放状態をより確実に且つ迅速に行わせることができる。
【００１６】
本発明におけるリンク持上げ機構としては、最上位のスラットに連結された可撓性の長尺体と、この長尺体を走行させる回転体を有した走行手段とを具備しているものを好ましい一つの例として挙げることができるが、斯かるリンク持上げ機構の長尺体としては、ベルト、ワイヤロープ、チェーン、ひも等を好ましい例として示すことができ、回転体としては、可撓性の長尺体としてベルト、ワイヤロープ又はひもが用いられる場合には、これらが掛けられ又は巻き付けられて係合するプーリが好ましく用いられ、長尺体としてチェーン又は歯付きベルトが用いられる場合には、チェーン又は歯付きベルトに噛み合って係合するスプロケットホイール又は歯付きプーリが好ましく用いられる。
【００１７】
次に本発明を、図に示す好ましい実施の形態の一例を参照して更に詳細に説明する。なお、本発明はこれら例に何等限定されないのである。
【００１８】
【実施の形態】
図１から図８において、本例のブラインド装置１は、一対の縦枠２及び３間に互いに上下方向に並置された複数のスラット４からなるブラインド５と、スラット４の夫々の長手方向の端部６を支持しており、縦枠２及び３外に配された伸縮自在、本例では折り畳み自在なリンク機構７（縦枠３側は図示せず、以下同じ）と、リンク機構７の上端部を持上げて、ブラインド５を開口部閉鎖位置に配するリンク持上げ機構８と、リンク機構７を介してスラット４の夫々を傾動させるべく、リンク機構７に連結されたチルト機構９（縦枠３側は図示せず、以下同じ）と、各スラット４の夫々の端部６に設けられていると共に、縦枠２及び３のスリット１０（縦枠３側は図示せず、以下同じ）を通って上下方向に移動自在なスラット位置保持手段１１とを具備している。
【００１９】
縦枠３並びに縦枠３側のリンク機構、チルト機構及びスラット位置保持手段等の夫々は、縦枠２並びに縦枠２側のリンク機構７、チルト機構９及びスラット位置保持手段１１等の夫々と同様に構成されているため、以下主に縦枠２側について説明し、必要に応じて縦枠３側について説明する。
【００２０】
縦枠２と縦枠３とは、上枠１５により橋絡されて、ブラインド５により開放、閉鎖される開口部１６を形成している。縦枠２は、上下方向に伸びる上述の案内スリット１０を有している。
【００２１】
スラット４の夫々は、断面円弧状を有したスラット本体１７と、スラット本体１７の長手方向の両端面に固着された円弧状の補強板１８とを具備しており、スラット本体１７の夫々の長手方向の端部６には凹所１９が形成されており、スラット本体１７の長手方向における凹所１９の開口は、補強板１８により閉鎖されている。
【００２２】
リンク機構７は、スラット本体１７の夫々の凹所１９を通って伸張すると共に並置された一対のリンク列２５及び２６を具備しており、リンク列２５は、隣接するスラット４間の夫々に円弧状の一対のリンク部材２７及び２８を具備しており、一対のリンク部材２７及び２８のうちの上位のリンク部材２７は、凹所１９において一端で上位のスラット４にピン２９を介して回動自在に連結されており、一対のリンク部材２７及び２８のうちの下位のリンク部材２８は、凹所１９において一端で下位のスラット４にピン２９を介して回動自在に連結されており、こうして、リンク列２５は、スラット４の夫々の端部６に回動自在に連結されており、一対のリンク部材２７及び２８は、夫々の他端で互いにピン３０を介して回動自在に連結されている。
【００２３】
リンク列２６は、リンク列２５と同様に、隣接するスラット４間の夫々に円弧状の一対のリンク部材３３及び３４を具備しており、一対のリンク部材３３及び３４のうちの上位のリンク部材３３は、凹所１９において一端で上位のスラット４にピン３５を介して回動自在に連結されており、一対のリンク部材３３及び３４のうちの下位のリンク部材３４は、凹所１９において一端で下位のスラット４にピン３５を介して回動自在に連結されており、こうして、リンク列２６は、スラット４の夫々の端部６に回動自在に連結されており、一対のリンク部材３３及び３４は、夫々の他端で互いにピン３６を介して回動自在に連結されている。なお、リンク列２５及び２６の折り畳み方向を規定すべく、リンク部材２８及び３４には阻止片３７が一体的に設けられている。
【００２４】
リンク持上げ機構８は、可撓性の長尺体としてのチェーン４１と、チェーン４１の一端に固着された可動駒４２と、チェーン４１を走行させる走行手段４３とを具備しており、走行手段４３は、チェーン４１が掛けられていると共に、縦枠２に回転自在に支持された回転体としてのスプロケットホイール４４と、スプロケットホイール４４が固着された断面六角形状の回転軸４５と、回転軸４５を出力回転軸とすると共に、縦枠２に支持された減速機４６と、減速機４６の入力回転軸を出力回転軸とすると共に、減速機４６に取付けられた電動モータ４７とを具備している。
【００２５】
チェーン４１は、縦枠２内において縦枠２に一体的に縦方向に伸びて形成された各一対の案内突条４８及び４９により挟まれており、チェーン４１の上下方向の走行は、案内突条４８及び４９により案内されるようになっており、回転軸４５は、縦枠３内まで伸びて当該縦枠３側に配されていると共に、スプロケットホイール４４と同様に構成されたスプロケットホイールに固着されている。
【００２６】
チルト機構９は、最上位のスラット４の補強板１８に固着された揺動自在板５１と、揺動自在板５１に一端で固着されていると共に、スリット１０を通って縦枠２内に伸び、可動駒４２に他端部で回転自在に支持された回動自在軸５２と、一端が回動自在軸５２に固着されていると共に、縦枠２の内部に配された回動自在アーム５３と、回動自在アーム５３の一端に回転自在に取付けられたカムローラ５４と、カムローラ５４が接触すると共に、回動自在アーム５３を最上位のスラット４の上昇及び下降において回動させるカム面５８とを具備している。回動自在軸５２は、上記のように揺動自在板５１を介して最上位のスラット４の端部６に取付けられており、カム面５８は、縦枠２の内面５５と、縦枠２の内面５５に取付けられた突起５６の外面５７とを有している。
【００２７】
チルト機構９は、開口部閉鎖状態では、外面５７へのカムローラ５４の当接で回動自在アーム５３を図５において反時計回りの方向に回動させて回動自在軸５２を同方向に回動させ、各スラット４を、図２から図４に示すように、互いに間隔を有して傾斜させ、開口部開放状態では、内面５５へのカムローラ５４の当接で回動自在アーム５３を図５において時計回りの方向に回動させて回動自在軸５２を同方向に回動させ、各スラット４を、図６から図８に示すように、実質的に水平に配されて互いに重ね合わせるようになっている。
【００２８】
スラット位置保持手段１１は、最上位のスラット４を除く各スラット４の補強板１８に一端が固着されていると共に、スリット１０を通った軸６１と、縦枠２内において軸６１の他端に固着された抜け出し防止円板６２と、軸６１に挿着された滑り軸受６３とを具備している。
【００２９】
尚、縦枠２内において、最下位のスラット位置保持手段１１の軸６１の他端又は抜け出し防止円板６２と縦枠２の底板６５との間には、最下位のスラット４に弾性的な下方向力を付与すべく、コイルばね等のばね手段からなる終端機構６６が設けられており、終端機構６６は、図２から図４に示す開口部閉鎖状態で、軸６１又は抜け出し防止円板６２を介して最下位のスラット４が不必要に上昇しないようにしている。尚、終端機構６６を、ばね手段に代えて又はこれと共にリンク機構で構成してもよい。
【００３０】
以上のブラインド装置１においては、開口部１６の閉鎖に際しては、図示しない操作スイッチ等の操作により電動モータ４７を作動させて、減速機４６及び回転軸４５を介してスプロケットホイール４４を回転させ、チェーン４１を走行させる。チェーン４１の走行で可動駒４２が上昇されると、図７及び図８に示すように、最上位のスラット４が持上げられると共に、最上位のスラット４に続くスラット４もリンク機構７を介して順次持上げられ、可動駒４２の更なる上昇で、縦枠２の内面５５へのカムローラ５４の接触が解除されて、次にカムローラ５４が外面５７に当接されると、回動自在アーム５３が図５に示すように回動されて、回動自在アーム５３の斯かる方向の回動で、回動自在軸５２及び揺動自在板５１を介して、最上位のスラット４が図２に示すように反時計回りの方向に回動され、最上位のスラット４の斯かる方向の回動で、リンク列２６の方がリンク列２５よりも多く持上げられて、最上位のスラット４に続く下位の各スラット４が図２から図４に示すように、互いに間隔を有して傾斜され、開口部閉鎖状態にもたらされる。スラット４からなるブラインド５が開口部１６を閉鎖状態にすると、図示しない検出器からの検出信号により電動モータ４７の作動が停止される。
【００３１】
図２から図４に示すブラインド５による開口部１６の閉鎖状態から開口部１６の開放に際しては、図示しない操作スイッチ等の操作により電動モータ４７を前記と逆に作動させて、減速機４６及び回転軸４５を介してスプロケットホイール４４を回転させ、これによりチェーン４１を前記と逆方向に走行させる。チェーン４１の逆走行で可動駒４２が下降されると、最上位のスラット４が下降されると共に、カムローラ５４の外面５７への当接が解除され、次に、カムローラ５４が内面５５に当接されるようになると、回動自在アーム５３が前記と逆方向に回動され、回動自在アーム５３の斯かる方向の回動で、回動自在軸５２及び揺動自在板５１を介して最上位のスラット４が前記と逆方向に回動されて実質的に水平に配され、最上位のスラット４の斯かる方向の回動と水平状態への配置とで、リンク列２６の方がリンク列２５よりも多く持上げられた状態が解消されて、最上位のスラット４に続く各スラット４が実質的に水平に且つ互いに平行に配されて下降され、最上位のスラット４の更なる下降で、図７及び図８に示すように、リンク列２５及び２６の下部から順次折り畳まれると共に、最下位のスラット４から順次互いに重ね合わされ、最後に最上位のスラット４がこの直ぐ下のスラット４に重ね合わされて、開口部開放状態にもたらされる。スラット４からなるブラインド５が開口部１６を開放状態にすると、図示しない検出器からの検出信号により電動モータ４７の逆作動が停止される。
【００３２】
電動モータ４７の作動、逆作動中に、操作スイッチ等の操作により電動モータ４７の作動、逆作動が停止されると、ブラインド５は、開口部１６を途中閉鎖状態又は途中開放状態にする。ブラインド５による開口部１６の途中閉鎖状態又は途中開放状態で操作スイッチ等の操作により電動モータ４７の作動、逆作動が再び行われると、その状態から前記と同様の動作が行われる。
【００３３】
ところで、ブラインド装置１では、リンク列２５及び２６の夫々がスラット４の夫々の端部６に回動自在に連結されて、リンク機構７が縦枠２の外に配されているために、縦枠２を狭幅にでき、しかも、リンク機構７の取付け作業、保守、点検を容易に行い得、而して、斯かるブラインド装置１をビル等において横方向に並んだ複数の窓の夫々に好ましく並置し得る。
【００３４】
またブラインド装置１によれば、リンク列２５及び２６の夫々が凹所１９においてスラット４の夫々の端部６に回動自在に連結されているので、リンク機構７が縦枠２の外に配されていても、スラット４と縦枠２との間の隙間をできる限り小さくでき、ブラインド５による開口部閉鎖機能をより完全に得ることができる。
【００３５】
加えて、ブラインド装置１によれば、開口部閉鎖状態では各スラット４が互いに間隔を有して傾斜されているので、この間隔を介して風を逃がすことができる結果、開口部閉鎖状態であって、強風時に各スラット４が風圧により過度に変形されることを防ぎ得る。
【００３６】
更にブラインド装置１によれば、スラット位置保持手段１１により各スラット４の端部６を縦枠２のスリット１０の位置に保持できるので、風等によりブラインド５が揺れることをなくし得る。
【００３７】
【発明の効果】
本発明によれば、縦枠を狭幅にし得て、しかも、リンク機構の取付け作業、保守、点検を容易に行い得、而して、ビル等において横方向に並んだ複数の窓の夫々に好ましく並置し得るブラインド装置を提供することができる。
【図面の簡単な説明】
【図１】本発明の好ましい実施の形態の一例の全体斜視図である。
【図２】図１に示す例の一方の縦枠側の上部内側側面図である。
【図３】図１に示す例の一方の縦枠側の上部正面図である。
【図４】図１に示す例の一方の縦枠側の下部内側側面図である。
【図５】図１に示す例の一方の縦枠側の上部断面側面図である。
【図６】図７に示すＶＩ−ＶＩ線矢視断面説明図である。
【図７】図１に示す例の一方の縦枠側の上部正面図である。
【図８】図１に示す例の一方の縦枠側の下部内側側面図である。
【符号の説明】
１  ブラインド装置
２、３  縦枠
４  スラット
５  ブラインド
６  端部
７  リンク機構
８  リンク持上げ機構
９  チルト機構
【図１】
0004560950.tif 000002
【図２】
0004560950.tif 000003
【図３】
0004560950.tif 000004
【図４】
0004560950.tif 000005
【図５】
0004560950.tif 000006
【図６】
0004560950.tif 000007
【図７】
0004560950.tif 000008
【図８】
0004560950.tif 000009